(57)【要約】      （修正有）【課題】ホースと配管とを強固に且つシール性良く接続することのできるホースコネクタを提供する。【解決手段】外周に環状の拡径部１１を有し、ホースが装着される装着筒１３を備えたコネクタ本体１４と、ロック部材１５とを備えたホースコネクタ１０であって、コネクタ本体１４は、装着筒１３の基端部に半径方向に延設されたフランジ部１６を備えるとともに、フランジ部１６から装着筒１３の軸線方向に沿って係止片１７が形成され、係止片１７は、装着筒１３と対向する面に第１係合爪１８と、第２係合部を１９有し、ロック部材１５は、内周に第２係合部１９と協働してホースを狭持する挟持部２０と、下端に前記フランジ部１６と係合してロック位置に固定する固定部を備え、ロック部材１５をロック位置に移動させた際に、拡径部１１に対応する位置に第２係合部１９と挟持部２０が位置するので、ホースと配管とを強固に且つシール性良く接続する。【選択図】図１
2013177911.tif 000002
【特許請求の範囲】
【請求項１】
外周に環状の拡径部を有し、ホースが装着される装着筒を備えたコネクタ本体と、前記コネクタ本体のロック位置と非ロック位置の間を移動可能に挿嵌されたロック部材とを備えたホースコネクタであって、
前記コネクタ本体は、前記装着筒の基端部に半径方向に延設されたフランジ部を備えるとともに、前記フランジ部から装着筒の軸線方向に沿って係止片が形成され、前記係止片は、前記装着筒と対向する面に第１係合爪及び第２係合部を有し、
前記ロック部材は内周に前記第２係合部と協働してホースを狭持する挟持部と、下端に前記フランジ部と係合してロック位置に固定する固定部を備え、
前記ロック部材をロック位置に移動させた際に、前記拡径部に対応する位置に第２係合部と挟持部が位置することを特徴とするホースコネクタ。
【請求項２】
前記ロック部材に備えられた固定部は、ロック部材の下端部に形成された周方向に延設された弾性変形可能な可撓爪であることを特徴とする請求項１に記載のホースコネクタ。
【請求項３】
前記可撓爪は、前記ロック部材をロック位置に移動させた際に、前記フランジ部の一部に乗り上げてロック部材の移動を阻止するとともに、非ロック位置では、前記フランジ部に形成された凹溝内に位置することを特徴とする請求項２に記載のホースコネクタ。
【請求項４】
前記コネクタ本体に備えられた係止片は、フランジ部周縁に対向して一対形成されたことを特徴とする請求項１〜３の何れか１に記載のホースコネクタ。
【請求項５】
前記係止片に備えられた第２係合部は、軸線方向に沿って少なくとも２個存在する爪であり、前記装着筒に形成された拡径部の前後に跨がって配設されたことを特徴とする請求項１〜４の何れか１に記載のホースコネクタ。
【請求項６】
前記ロック部材は、内側の長手方向に沿った溝条を備えており、
前記コネクタ本体にロック部材をセットした際に、
前記溝条に前記係止片が挿通されて廻り止めとして作用することを特徴とする請求項１〜５の何れか１に記載のホースコネクタ。
【発明の詳細な説明】
【技術分野】
【０００１】
この発明は、ホースと配管とを接続する際に、ホースバンド等を使用することなく、強固に且つシール性良く接続することのできるホースコネクタに関するものである。
【背景技術】
【０００２】
従来は、例えば接続筒にホースを装着し、その外周から締結バンドで締め付けて抜け止め、水漏れを防止していた。また、特許文献１に示すように、挿入方向に沿って順次拡径する複数の環状突部を有するニップルにホースを外挿するとともに、ニップルの外周から立ち上がった環状のフランジ部が挿通されたホースの先端を規制し、このフランジ部からニップルの軸方向に延設された一対の押え片をスライドリングで外周から押圧し、弾性のホースの抜け止めを図っている（特許文献１）。
【先行技術文献】
【特許文献】
【０００３】
【特許文献１】特開２０１１−７２６７号公報
【発明の概要】
【発明が解決しようとする課題】
【０００４】
しかし、上記構成の従来の締結バンドを使用する場合では、作業性が悪くホースの固定に時間が掛かると云う欠点が存在した。また、確実に締結バンドが装着されているか否かの確認が必要であった。更に、特許文献１に示すものでは、使用するホースの種類や内圧の高さによっては、止水（シール）性に問題が見られた。
【０００５】
この発明は、上記したような不都合を解消する為になされたもので、ホースを工具を使用すること無く接続できるとともに、強固に且つシール性良く接続することのできるホースコネクタを提供するものである。
【課題を解決するための手段】
【０００６】
この発明は、以下のような内容である。
（１）上記目的を達成するため、本発明は外周に環状の拡径部を有し、ホースが装着される装着筒を備えたコネクタ本体と、前記コネクタ本体のロック位置と非ロック位置の間を移動可能に挿嵌されたロック部材とを備えたホースコネクタであって、前記コネクタ本体は、前記装着筒の基端部に半径方向に延設されたフランジ部を備えるとともに、前記フランジ部から装着筒の軸線方向に沿って係止片が形成され、前記係止片は、前記装着筒と対向する面に第１係合爪及び第２係合部を有し、前記ロック部材は内周に前記第２係合部と協働してホースを狭持する挟持部と、下端に前記フランジ部と係合してロック位置に固定する固定部を備え、前記ロック部材をロック位置に移動させた際に、前記拡径部に対応する位置に第２係合部と挟持部が位置することを特徴とする。
（２）また、前記ロック部材に備えられた固定部は、ロック部材の下端部に形成された周方向に延設された弾性変形可能な可撓爪であることを特徴とする。
（３）前記可撓爪は、前記ロック部材をロック位置に移動させた際に、前記フランジ部の一部に乗り上げてロック部材の移動を阻止するとともに、非ロック位置では、前記フランジ部に形成された凹溝内に位置することを特徴とする。
（４）前記コネクタ本体に備えられた係止片は、フランジ部周縁に対向して一対形成されたことを特徴とする。
（５）前記係止片に備えられた第２係合部は、軸線方向に沿って少なくとも２個存在する爪であり、前記装着筒に形成された拡径部の前後に跨がって配設されたことを特徴とする。
（６）前記ロック部材は、内側の長手方向に沿った溝条を備えており、前記コネクタ本体にロック部材をセットした際に、前記溝条に前記係止片が挿通されて廻り止めとして作用することを特徴とする。
【発明の効果】
【０００７】
この発明によれば、外周に環状の拡径部を有し、ホースが装着される装着筒を備えたコネクタ本体と、前記コネクタ本体のロック位置と非ロック位置の間を移動可能に挿嵌されたロック部材とを備えたホースコネクタであって、前記コネクタ本体は、前記装着筒の基端部に半径方向に延設されたフランジ部を備えるとともに、前記フランジ部から装着筒の軸線方向に沿って係止片が形成され、前記係止片は、前記装着筒と対向する面に第１係合爪及び第２係合部を有し、前記ロック部材は内周に前記第２係合部と協働してホースを狭持する挟持部と、下端に前記フランジ部と係合してロック位置に固定する固定部を備え、前記ロック部材をロック位置に移動させた際に、前記拡径部に対応する位置に第２係合部と挟持部が位置するので、強固に且つシール性良く接続することができる。
そして、前記ロック部材に備えられた固定部は、ロック部材の下端部に形成された周方向に延設された弾性変形可能な可撓爪であるので、可撓爪がロック部材の後退を阻止して確実に接続することができる。
また、前記可撓爪は、前記ロック部材をロック位置に移動させた際に、前記フランジ部の一部に乗り上げてロック部材の移動を阻止するとともに、非ロック位置では、前記フランジ部に形成された凹溝内に位置するので、ロック位置にロック部材を保持して緩む虞がない。また、ロック部材とコネクタ本体との係合状態を維持することができる。
また、前記コネクタ本体に備えられた係止片は、フランジ部周縁に対向して一対形成されたので、装着されたホースを安定保持することができる。
また、前記係止片に備えられた第２係合部は、軸線方向に沿って少なくとも２個存在する爪であり、前記装着筒に形成された拡径部の前後に跨がって配設されたので、シール性を向上することができる。
また、前記ロック部材は、内側の長手方向に沿った溝条を備えており、前記コネクタ本体にロック部材をセットした際に、前記溝条に前記係止片が挿通されて廻り止めとして作用するので、ロック部材の廻り止めとなり、装着されたホースと配管とのシール性を向上することができる。
【図面の簡単な説明】
【０００８】
【図１】図１は、この発明の一実施の形態を示すホースコネクタの全体斜視図であり、（ａ）はコネクタ本体を示す斜視図、（ｂ）はロック部材を示す斜視図である。
【図２】図２（ａ）は、図１におけるＡ−Ａ線方向のロック部材をセットした状態の縦断面図、（ｂ）はコネクタ本体にホースを装着した縦断面図、（ｃ）はロック部材をロック位置に移動させた状態の縦断面図である。
【図３】図３（ａ）は、図１におけるＢ−Ｂ線方向のロック部材をセットした状態の縦断面図、（ｂ）はコネクタ本体にホースを装着した縦断面図、（ｃ）はロック部材をロック位置に移動させた状態の縦断面図である。
【図４】図４（ａ）は同ホースコネクタのロック部材をセットした状態の斜視図、（ｂ）はコネクタ本体にホースを装着した状態の斜視図、（ｃ）はロック部材をロック位置に移動させた状態の斜視図である。
【発明を実施するための形態】
【０００９】
本発明のホースコネクタは、外周に環状の拡径部を有し、ホースが装着される装着筒を備えたコネクタ本体と、前記コネクタ本体のロック位置と非ロック位置の間を移動可能に挿嵌されたロック部材とを備え、前記ロック部材の下端にコネクタ本体に形成されたフランジ部と係合してロック位置に固定する固定部を備えるとともに、前記ロック部材をロック位置に移動させた際に、前記拡径部に対応する位置に第２係合部とロック部材は内周に形成された挟持部が位置するので、ホースと配管とを接続する際に、強固で且つシール性良く接続することができる。
【実施例１】
【００１０】
以下、一実施の形態を示す図面に基づいて本発明を詳細に説明する。図１はこの発明の一実施の形態を示すホースコネクタの全体斜視図であり、（ａ）はコネクタ本体を示す斜視図、（ｂ）はロック部材を示す斜視図、図２（ａ）は、図１におけるＡ−Ａ線方向のロック部材をセットした状態の縦断面図、（ｂ）はコネクタ本体にホースを装着した縦断面図、（ｃ）はロック部材をロック位置に移動させた状態の縦断面図で、図３（ａ）は、図１におけるＢ−Ｂ線方向のロック部材をセットした状態の縦断面図、（ｂ）はコネクタ本体にホースを装着した縦断面図、（ｃ）はロック部材をロック位置に移動させた状態の縦断面図である。ここでホースコネクタ１０は、外周に環状の拡径部１１を有し、ホース１２が装着される装着筒１３を備えたコネクタ本体１４と、コネクタ本体１４のロック位置と非ロック位置の間を移動可能に挿嵌されたロック部材１５とを備えたものであって、コネクタ本体１４は、装着筒１３の基端部に半径方向に延設されたフランジ部１６を備えるとともに、前記フランジ部１６から装着筒１３の軸線方向に沿って係止片１７が形成され、前記係止片１７は、前記装着筒１３と対向する面に第１係合爪１８及び第２係合部１９を有し、ロック部材１５は内周に前記第２係合部１９と協働してホース１２を狭持する挟持部２０と、下端に前記フランジ部１６と係合してロック位置に固定する固定部である可撓爪２１を備えている。
【００１１】
コネクタ本体１４は、一端にホース１２が装着される装着筒１３を、他端にパイプ部２２を備え、前記装着筒１３の基端部に半径方向に延設されたフランジ部１６を備えている。また、装着筒１３は、先細に形成されるとともに順次拡径した環状の拡径部１１を有している。装着筒１３とパイプ部２２の間には、略円板状のフランジ部１６が形成されている。更に、フランジ部１６は、中央に凹溝２３を有するとともに、装着筒１３の軸線方向に沿って一対の係止片１７が形成されている。
【００１２】
係止片１７は、略板状をしており、フランジ部１６の周縁から装着筒１３の先端方向に、所定の間隔を有して延設されている。また、係止片１７には、先端（自由端）内側に第１係合爪１８が、続いて第２係合部１９が軸線方向に沿って少なくとも、第２係合部１９ａと第２係合部１９ｂの２個存在し、装着筒１３に形成された環状の拡径部１１の前後（上下）に跨がって配設されている。更に、第１係合爪１８の背面には、突起２４ａが第２係合部１９の背面（外周）には、突起２４ｂが形成されている。また、係止片１７は、フランジ部１６の周縁に対向して一対、かつ先端に向かってやや拡開する様に形成されている。
【００１３】
ロック部材１５は、略円筒状をしており、コネクタ本体１４に挿嵌されて、ロック位置と非ロック位置の間を軸線方向に移動可能に配設される。また、ロック部材１５は、内周に第２係合部１９と協働してホース１２を狭持する縮径された挟持部２０と、下端にコネクタ本体１４に形成されたフランジ部１６の一部と係合してロック位置に固定する固定部である可撓爪２１を備えている。更に、ロック部材１５は、内側の長手方向に沿って溝条２５を一対備えており、コネクタ本体１４にセットされた際に、係止片１７が挿通されて廻り止めとなる。また、可撓爪２１は、ロック部材１５の下端縁に周囲を切り欠くようにして一対形成されており、内側に係合段部２１ａを有している。
【００１４】
このように構成されたホースコネクタ１０は、図２（ａ）、図３（ａ）、図４（ａ）に示すロック部材１５が下降した非ロック位置の装着筒１３に、図２（ｂ）、図３（ｂ）、図４（ｂ）に示すようにホース１２を端部から装着する。ホース１２をフランジ部１６に当接する奥まで差し込んだ後、図２（ｃ）、図３（ｃ）、図４（ｃ）に示すようにロック部材１５を矢印Ｃ方向に引き上げてロック位置にする。すると、装着筒１３の拡径部１１で外側に盛り上がったホース１２は、係止片１７に形成された第２係合部１９ａ、１９ｂによって押圧される。
この際、第２係合部１９ａ、１９ｂは、拡径部１１を上下に跨ぐように配設されているので、装着筒１３とホース１２とのシール性を向上することができる。また、係止片１７に形成された第１係合爪１８も溝条２５の内壁面で押圧されることで、ホース表面に噛み込み、抜け止め作用を発揮する。
更に、係止片１７は、外周からホース方向にロック部材１５の溝条２５の内壁によって突起２４ａ、２４ｂを介して押圧されるので、シール性を更に向上することができる。また、係止片１７の形成された部分以外のホース外周は、拡径部１１で外側に盛り上がった部位をロック部材１５の挟持部２０で挟持するので、拡径部の全周が隙間無く押圧されて、シール性を格段に向上することができる。
【００１５】
また、図３（ｃ）、図４（ｃ）に示すようにロック部材１５を矢印Ｃ方向に引き上げた際、可撓爪２１がフランジ部１６に乗り上げてロック部材１５の下降（移動）を阻止する。特に、可撓爪２１の係合段部２１ａがフランジ部１６の一部と係合する。したがって、ロック部材１５のロック状態を保持することができ、緩むことがない。また、ロック部材１５の非ロック位置では、可撓爪２１の一部がフランジ部１６に形成された凹溝２３内に遊嵌されているので、コネクタ本体１４とロック部材１５はセット状態を保持できる。
【００１６】
この様に本発明のホースコネクタは、係止片１７に形成された第１係合爪１８、第２係合部１９及び装着筒１３に形成された拡径部１１、及びロック部材１５に形成された挟持部２０によって、ホースを強固に接続できるとともに、ホースの全周に渡りシール性良く接続できる。
【００１７】
なお、以上の実施例では、係止片１７は、一対形成されていたが、これに限ることなく３本或いはそれ以上であってもよい。係止片１７の数が３本以上の場合は、溝条２５の数もそれに対応した数となる。また、可撓爪２１は周方向に限ることなく、軸線方向に延設した爪でもよい。
更に、本発明のホースコネクタは、ホースを接続して抜け止めを行っている箇所に広く使用するできる。例えば、自動車のヘッドランプウオッシャホースや、各種冷却配管、キャニスターパージホース、水道ホース等である。
【符号の説明】
【００１８】
１０    ホースコネクタ
１１    拡径部
１２    ホース
１３    装着筒
１４    コネクタ本体
１５    ロック部材
１６    フランジ部
１７    係止片
１８    第１係合爪
１９    第２係合部
２０    挟持部
２１    可撓爪（固定部）
２１ａ  係合段部
２２    パイプ部
２３    凹溝
２４ａ、２４ｂ  突起
２５    溝条
【図１】
2013177911.tif 000003
【図２】
2013177911.tif 000004
【図３】
2013177911.tif 000005
【図４】
2013177911.tif 000006